(57)【特許請求の範囲】
【請求項１】
水平偏波のアナログテレビジョン信号と水平偏波のデジタルテレビジョン信号と垂直偏波のアナログテレビジョン信号と垂直偏波のディジタルテレビジョン信号との四つの信号が入力される信号選択手段と、前記四つの信号のうちのいずれかが個別に選択されて出力される複数の出力端と、少なくとも前記信号選択手段に電源電圧を供給するレギュレータとを有し、前記複数の出力端には、所定の周波数のコントロール信号が選択的に重畳される高または低の切替電圧が選択的に入力され、前記信号選択手段は前記切替電圧が入力されて前記四つの信号のいずれかを選択し、前記レギュレータは前記切替電圧から前記電源電圧を生成し、前記複数の出力端と前記レギュレータとの間にそれぞれ前記コントロール信号を減衰するコントロール信号減衰手段を設けたことを特徴とする衛星放送受信用コンバータ。
【請求項２】
前記コントロール信号減衰手段は、カットオフ周波数が前記コントロール信号の周波数よりも低いローパスフィルタを備えることを特徴とする請求項１記載の衛星放送受信用コンバータ。
【請求項３】
前記コントロール信号減衰手段は、トランジスタと、抵抗とコンデンサとを有し、前記抵抗と前記コンデンサとで前記ローパスフィルタを構成し、前記トランジスタのコレクタを前記複数の出力端に接続し、前記トランジスタのコレクタとベースとの間に前記抵抗を接続するとともに前記ベースとグランドとの間に前記コンデンサを接続し、前記トランジスタのエミッタを前記レギュレータに接続したことを特徴とする請求項１または請求項２記載の衛星放送受信用コンバータ。
【請求項４】
前記トランジスタのコレクタと前記複数の出力端との間にそれぞれ逆流防止用のダイオードを設けたことを特徴とする請求項３記載の衛星放送受信用コンバータ。
【発明の詳細な説明】
【０００１】
【発明の属する技術分野】
本発明は、複数の衛星放送受信用テレビジョンが接続される衛星放送受信用コンバータに関する。
【０００２】
【従来の技術】
従来の衛星放送受信用コンバータを図２に従って説明する。衛星放送受信用コンバータは、放送衛星から送信される送信信号を低い周波数に変換する機器であり、水平偏波及び垂直偏波を増幅して出力する受信信号増幅回路部５１と、増幅された水平偏波及び垂直偏波をアナログテレビジョン信号（以下、単にアナログ信号という）とディジタルテレビジョン信号（以下、単にディジタル信号という）とに分波して出力する分波回路部５２と、入力されるアナログ信号及びディジタル信号のイメージ周波数帯を減衰するフィルタ部５３と、フィルタ部５３から出力されたアナログ信号及びディジタル信号を周波数変換する周波数変換部５４と、周波数変換部５４から出力された信号を増幅する増幅回路部５５と、増幅回路部５５で増幅されたアナログ信号又はディジタル信号を選択して出力する信号選択手段５６と、各回路部（受信信号増幅回路部５１、分波回路部５２、フィルタ部５３、信号選択手段５６等）に電源電圧を供給する第一及び第二のレギュレータ５７、５８等を有している。
【０００３】
まず、放送衛星から送信される送信信号は、衛星放送受信アンテナ（図示せず）で受信され、導波管（図示せず）において水平偏波と垂直偏波とに分離されて受信信号増幅回路部５１に入力される。水平偏波及び垂直偏波は１０．７ＧＨｚ〜１２．７５ＧＨｚの周波数帯で送信されており、それぞれは、１０．７ＧＨｚ〜１１．７ＧＨｚの周波数帯がアナログ信号の周波数帯、１１．７ＧＨｚ〜１２．７５ＧＨｚの周波数帯がディジタル信号の周波数帯となっている。
【０００４】
受信信号増幅回路部５１は第一及び第二の増幅器５９、６０を有しており、水平偏波は第一の入力端５１ａから第一の増幅器５９に入力され、垂直偏波は第二の入力端５１ｂから第二の増幅器６０に入力される。
【０００５】
分波回路部５２は、第一の分波器６１と第二の分波器６２とを有し、受信信号増幅回路部５１において増幅された水平偏波及び垂直偏波をそれぞれアナログ信号Ａ１とディジタル信号Ｄ１、及びアナログ信号Ａ２とディジタル信号Ｄ２に分波する。
【０００６】
フィルタ部５３は第一乃至第四のバンドエルミネートフィルタ６３、６４、６５、６６を有し、第一及び第二のバンドエルミネートフィルタ６３、６４は、アナログ信号Ａ１、Ａ２のイメージ周波数帯である７．８ＧＨｚ〜８．８ＧＨｚの周波数帯を、第三及び第四のバンドエルミネートフィルタ６５、６６は、ディジタル信号Ｄ１、Ｄ２のイメージ周波数帯である８．４５ＧＨｚ〜９．５ＧＨｚの周波数帯をそれぞれ減衰する。
【０００７】
そして、アナログ信号Ａ１は第一のバンドエルミネートフィルタ６３、ディジタル信号Ｄ１は第三のバンドエルミネートフィルタ６５、アナログ信号Ａ２は第二のバンドエルミネートフィルタ６４、ディジタル信号Ｄ２は第四のバンドエルミネートフィルタ６６をそれぞれ通過した後に周波数変換部５４に入力されるようになっている。
【０００８】
周波数変換部５４は、第一乃至第四の混合器６７、６８、６９、７０と第一の発振器７１及び第二の発振器７２とを有している。そして、第一のバンドエルミネートフィルタ６３から出力されたアナログ信号Ａ１が第一の混合器６７に、第二のバンドエルミネートフィルタ６４から出力されたアナログ信号Ａ２が第二の混合器６８に、第三のバンドエルミネートフィルタ６５から出力されたディジタル信号Ｄ１が第三の混合器６９に、第四のバンドエルミネートフィルタ６６から出力されたディジタル信号Ｄ２が第四の混合器７０にそれぞれ入力される。
【０００９】
第一の混合器６７と第二の混合器６８とには、第一の発振器７１（発振周波数が９．７５ＧＨｚ）が接続されており、アナログ信号Ａ１、Ａ２はそれぞれ混合器６７、６８において９５０ＭＨｚ〜１９５０ＭＨｚの周波数帯に周波数変換される。同様に、第三の混合器６９と第四の混合器７０とには第二の発振器７２（発振周波数が１０．６ＧＨｚ）が接続されており、ディジタル信号Ｄ１、Ｄ２は、１１００ＭＨｚ〜２１５０ＭＨｚの周波数帯に周波数変換される。
【００１０】
増幅回路部は第一乃至第四の増幅器７３、７４、７５、７６を有し、周波数変換されたアナログ信号ａ１、ａ２及びディジタル信号ｄ１、ｄ２は、それぞれ、第一乃至第四の増幅器７３、７４、７５、７６を通過した後に信号選択手段５６に入力される。
【００１１】
信号選択手段５６は、信号切替回路７７と、第一及び第二の切替制御回路７８、７９と、第一及び第二の出力端５６ａ、５６ｂとを備えている。そして、信号切替回路７７は、第一の切替制御回路７８によって、入力されたアナログ信号ａ１、ａ２及びディジタル信号ｄ１、ｄ２のうちの一つを選択して第一の出力端５６ａに出力し、同様に、第二の切替制御回路７９によって、アナログ信号ａ１、ａ２及びディジタル信号ｄ１、ｄ２のうちの一つを選択して第二の出力端５６ｂに出力するようになっている。この切替制御については後述する。
【００１２】
そして、第一及び第二の出力端５６ａ、５６ｂには、それぞれに別個の衛星放送受信用テレビジョン（図示せず）が接続され、それぞれの衛星放送受信用テレビジョンからは、信号選択手段５６を制御するとともに各回路部を動作するための電圧が供給される。この電圧は、水平偏波で送信される衛星放送を受信するときには、例えば直流１８Ｖの第一の電圧とされ、垂直偏波で送信される衛星放送を受信するときには、例えば、直流１４Ｖの第二の電圧とされる。さらに、これらの電圧に、例えば、２２ｋＨｚのコントロール信号が重畳されるか否かによってディジタル信号又はアナログ信号の選択が区別される。すなわち、衛星放送受信用テレビジョンは、水平偏波で送信されるアナログ信号（従ってアナログ信号ａ１）を受信するときには第一の電圧のみを、垂直偏波で送信されるアナログ信号（従ってアナログ信号ａ２）を受信するときには第二の電圧のみを、水平偏波で送信されるディジタル信号（従ってディジタル信号ｄ１）を受信するときにはコントロール信号が重畳された第一の電圧を、垂直偏波で送信されるディジタル信号（従ってディジタル信号ｄ２）を受信するときにはコントロール信号が重畳された第二の電圧をそれぞれの出力端５６ａ、５６ｂに供給するようになっている。これらの電圧は、第一の出力端５６ａから高周波阻止用のチョークコイル８０を介して第一の切替制御回路７８に入力され、同様に第二の出力端５６ｂから高周波阻止用のチョークコイル８１を介して第二の切替制御回路７９に入力される。
【００１３】
一方、第一の電圧及び第二の電圧は、それぞれ高調波阻止用のチョークコイル８０、８１を介して第一及び第二のレギュレータ５７、５８に入力され、第一及び第二のレギュレータ５７、５８は、各回路部に電源電圧（例えば、８Ｖ）を供給する。そのため、第一及び第二のレギュレータ５７、５８は同一構成を有し、集積回路によって電圧安定化回路が構成されている。そして、第一及び第二のレギュレータ５７、５８の出力端は、それぞれ逆流防止用の第一及び第二のダイオード８２、８３を介して電源電圧出力端８４に接続されている。従って、いずれか一方の衛星放送受信用テレビジョンのみが動作しているときにも各回路部に電源電圧が供給できるようになっている。また、第一及び第二の出力端５６ａ、５６ｂはそれぞれ第一及び第二のレギュレータ５７、５８を介して電源電圧出力端８４に接続されているため、第一及び第二のレギュレータ５７、５８が有する素子間アイソレーションを利用して、例えば、第一の出力端５６ａから供給されるコントロール信号が第二の切替制御回路７９に入力されないようになっている。
【００１４】
【発明が解決しようとする課題】
上述のように、従来の衛星放送受信用コンバータは、第一または第二の出力端５６ａ、５６ｂに接続された衛星放送受信用テレビジョンの一方のみが動作したときでも衛星放送受信用コンバータが動作するように、第一及び第二の二つのレギュレータ５７、５８が設けられている。このため、衛星放送受信コンバータのコストが高くなってしまうという問題があった。
【００１５】
本発明はこれらの問題を解決するためのもので、その目的は、安価な衛星放送受信コンバータを提供することにある。
【００１６】
【課題を解決するための手段】
上記問題を解決するための第一の解決手段として、水平偏波のアナログテレビジョン信号と水平偏波のデジタルテレビジョン信号と垂直偏波のアナログテレビジョン信号と垂直偏波のディジタルテレビジョン信号との四つの信号が入力される信号選択手段と、四つの信号のうちのいずれかが個別に選択されて出力される複数の出力端と、少なくとも信号選択手段に電源電圧を供給するレギュレータとを有し、複数の出力端には、所定の周波数のコントロール信号が選択的に重畳される高または低の切替電圧が選択的に入力され、信号選択手段は切替電圧が入力されて四つの信号のいずれかを選択し、レギュレータは切替電圧から電源電圧を生成し、複数の出力端とレギュレータとの間にそれぞれコントロール信号を減衰するコントロール信号減衰手段を設けた構成とした。
【００１７】
また、第二の解決手段として、コントロール信号減衰手段は、カットオフ周波数がコントロール信号の周波数よりも低いローパスフィルタを備える構成とした。
【００１８】
また、第三の解決手段として、コントロール信号減衰手段は、トランジスタと、抵抗とコンデンサとを有し、抵抗とコンデンサとでローパスフィルタを構成し、トランジスタのコレクタを複数の出力端に接続し、トランジスタのコレクタとベースとの間に抵抗を接続するとともにベースとグランドとの間にコンデンサを接続し、トランジスタのエミッタをレギュレータに接続した。
【００１９】
また、第四の解決手段として、トランジスタのコレクタと複数の出力端との間にそれぞれ逆流防止用のダイオードを設けた。
【００２０】
【発明の実施の形態】
本発明の衛星放送受信用コンバータを図１に従って説明する。本発明の衛星放送受信用コンバータは、水平偏波及び垂直偏波を増幅して出力する受信信号増幅回路部１と、増幅された水平偏波及び垂直偏波をアナログテレビジョン信号（以下、単にアナログ信号という）とディジタルテレビジョン信号（以下、単にディジタル信号という）とに分波して出力する分波回路部２と、入力されるアナログ信号及びディジタル信号のイメージを減衰するフィルタ部３と、フィルタ部３から出力されたアナログ信号及びディジタル信号を周波数変換する周波数変換部４と、周波数変換部４から出力された信号を増幅する増幅回路部５と、増幅回路部５で増幅されたアナログ信号又はディジタル信号を選択して出力する信号選択手段６と、各回路部（受信信号増幅回路部１、分波回路部２、フィルタ部３、信号選択手段６等）に電源電圧を供給するレギュレータ７と、第一及び第二のコントロール信号減衰手段８、９等を有している。
【００２１】
まず、放送衛星から送信される送信信号は、衛星放送受信アンテナ（図示せず）で受信され、導波管（図示せず）において水平偏波と垂直偏波とに分離されて受信信号増幅回路部１に入力される。水平偏波及び垂直偏波は、１０．７ＧＨｚ〜１２．７５ＧＨｚの周波数帯で送信されており、それぞれは、１０．７ＧＨｚ〜１１．７ＧＨｚの周波数帯がアナログ信号の周波数帯、１１．７ＧＨｚ〜１２．７５ＧＨｚの周波数帯がディジタル信号の周波数帯となっている。
受信信号増幅回路部１は、第一及び第二の増幅器１０、１１を有し、水平偏波は第一の入力端１ａから第一の増幅器１０に入力され、垂直偏波は第二の入力端１ｂから第二の増幅器１１に入力される。
【００２２】
分波回路部２は、第一及び第二の分波器１２、１３を有し、受信信号増幅回路部１において増幅された水平偏波及び垂直偏波をアナログ信号Ａ１とディジタル信号Ｄ１、及びアナログ信号Ａ２とディジタル信号Ｄ２に分波する。
【００２３】
フィルタ部３は、第一乃至第四のバンドエルミネートフィルタ１４、１５、１６、１７を有し、第一及び第二のバンドエルミネートフィルタ１４、１５は、アナログ信号Ａ１、Ａ２のイメージ周波数帯である７．８ＧＨｚ〜８．８ＧＨｚの周波数帯を、第三及び第四のバンドエルミネートフィルタ１６、１７は、ディジタル信号Ｄ１、Ｄ２のイメージ周波数帯である８．４５ＧＨｚ〜９．５ＧＨｚの周波数帯をそれぞれ減衰する。そして、アナログ信号Ａ１は第一のバンドエルミネートフィルタ１４、ディジタル信号Ｄ１は第三のバンドエルミネートフィルタ１６、アナログ信号Ａ２は第二のバンドエルミネートフィルタ１５、ディジタル信号Ｄ２は第四のバンドエルミネートフィルタ１７をそれぞれ通過した後に周波数変換部４にそれぞれ入力される。
【００２４】
周波数変換部４は、第一乃至第四の混合器１８、１９、２０、２１と第一及び第二の発振器２２、２３とを有している。そして、第一バンドエルミネートフィルタ１４から出力されたアナログ信号Ａ１が第一の混合器１８に、第二のバンドエルミネートフィルタ１５から出力されたアナログ信号Ａ２は第二の混合器１９に、第三のバンドエルミネートフィルタ１６から出力されたディジタル信号Ｄ１は第三の混合器２０に、第四のバンドエルミネートフィルタ１７から出力されたディジタル信号Ｄ２は第四の混合器２１にそれぞれ入力される。
第一の混合器１８と第二の混合器１９とには、第一の発振器２２（発振周波数が９．７５ＧＨｚ）が接続されており、アナログ信号Ａ１、Ａ２はそれぞれ混合器１８、１９において９５０ＭＨｚ〜１９５０ＭＨｚの周波数帯に周波数変換される。同様に、第三の混合器２０と第四の混合器２１とには第二の発振器２３（発振周波数が１０．６ＧＨｚ）が接続されており、ディジタル信号Ｄ１、Ｄ２は、１１００ＭＨｚ〜２１５０ＭＨｚの周波数帯に周波数変換される。
【００２５】
増幅回路部５は、第五乃至第八の増幅器２４、２５、２６、２７を有し、周波数変換されたアナログ信号ａ１、ａ２及びディジタル信号ｄ１、ｄ２は、それぞれ第五乃至第八の増幅器２４、２５、２６、２７を通過した後に信号選択手段６に入力される。
【００２６】
信号選択手段６は、信号切替回路２８と、第一及び第二の切替制御回路２９、３０と、第一及び第二の出力端６ａ、６ｂとを備えている。そして、信号切替回路２８は、第一の切替制御回路２９によって、入力されたアナログ信号ａ１、ａ２及びディジタル信号ｄ１、ｄ２のうちの一つを選択して第一の出力端６ａに出力し、同様に、第二の切替制御回路３０によって、アナログ信号ａ１、ａ２及びディジタル信号ｄ１、ｄ２のうちの一つを選択して第二の出力端６ｂに出力するようになっている。これらの出力端６ａ、６ｂは、衛星放送受信用コンバータの出力端となっている。なお、この切替制御については後述する。
【００２７】
そして、第一及び第二の出力端６ａ、６ｂには、それぞれに別個の衛星放送受信用テレビジョン（図示せず）が接続され、それぞれの衛星放送受信用テレビジョンからは、信号選択手段６を制御するとともに各回路部を動作するための切替電圧が供給される。この切替電圧は、水平偏波で送信される衛星放送を受信するときには、例えば、直流１８Ｖの第一の電圧とされ、垂直偏波で送信される衛星放送を受信するときには、例えば１４Ｖの第二の電圧とされる。さらに、これらの電圧は、例えば、２２ｋＨｚのコントロール信号が重畳されるか否かによってディジタル信号又はアナログ信号の選択が区別される。すなわち、衛星放送受信用テレビジョンは、水平偏波で送信されるアナログ信号（従ってアナログ信号ａ１）を受信するときは第一の電圧のみを、垂直偏波で送信されるアナログ信号（従ってアナログ信号ａ２）を受信するときには第二の電圧のみを、水平偏波で送信されるディジタル信号（従ってディジタル信号ｄ１）を受信するときはコントロール信号が重畳された第一の電圧を、垂直偏波で送信されるディジタル信号（従ってディジタル信号ｄ２）を受信するときにはコントロール信号が重畳された第二の電圧をそれぞれの出力端６ａ、６ｂに供給するようになっている。これらの切替電圧は、第一の出力端６ａから高周波阻止用のチョークコイル３１を介して第一の切替制御回路２９に入力され、同様に、第二の出力端６ｂから高周波阻止用のチョークコイル３２を介して第二の切替制御回路３０に入力される。
【００２８】
一方、第一の出力端６ａに供給される第一及び第二の電圧は、高調波阻止用のチョークコイル３１と、チョークコイル３１に直列に接続された逆流防止用の第一のダイオード３３と、第一のコントロール信号減衰手段８とを介してレギュレータ７に入力され、同様に、第二の出力端６ｂに供給される第一及び第二の電圧は、高調波阻止用のチョークコイル３２と、チョークコイル３２に直列に接続された逆流防止用の第二のダイオード３４と、第二のコントロール信号減衰手段９とを介してレギュレータ７に入力され、レギュレータ７は、各回路部に電源電圧（例えば、８Ｖ）を供給する。そして、レギュレータ７の出力端は電源電圧出力端３５に接続されている。
【００２９】
ここで、第一のコントロール信号減衰手段８と第二のコントロール信号減衰手段９は同一の構成を有している。第一のコントロール信号減衰手段８は、第一のトランジスタ３６と、この第一のトランジスタ３６のコレクタ−ベース間に接続された第一の抵抗３７と、ベースとグランドとの間に接続された第一のコンデンサ３８とを有し、同様に、第二のコントロール信号減衰手段９は、第二のトランジスタ３９と、この第二のトランジスタ３９のコレクタ−ベース間に接続された第二の抵抗４０と、ベースとグランドとの間に接続された第二のコンデンサ４１とを有している。そして、第一のトランジスタ３６のコレクタが第一のダイオード３３のカソードに接続され、エミッタがレギュレータ７に接続されている。また、第一の抵抗３７と第一のコンデンサ３８とによってローパスフィルタ４２が構成されている。同様に、第二のコントロール信号減衰手段９は、第二のトランジスタ３９のコレクタが第二のダイオード３４のカソードに接続され、エミッタがレギュレータ７に接続されている。従って、第一及び第二のトランジスタ３６、３９のエミッタ同士も互いに接続されている。そして、同様に、第二の抵抗４０と第二のコンデンサ４１とによってローパスフィルタ４３が構成されている。
【００３０】
そして、ローパスフィルタ４２、４３のカットオフ周波数は、第一及び第二の電圧に重畳されるコントロール信号の周波数よりも低く設定されている。このように、ローパスフィルタ４２、４３のカットオフ周波数をコントロール信号の周波数よりも低く設定することで、第一及び第二のトランジスタ３６、３９のエミッタ同士が接続されていても、例えば、第一の出力端６ａから供給される切替電圧に重畳されたコントロール信号が第二のコントロール信号減衰手段９とダイオード３４とを介して第二の切替制御回路３０に入力するのを防止している。同様に、第二の出力端６ｂから供給される切替電圧に重畳されたコントロール信号が第一の切替制御回路２９に入力するのを防止している。また、第一及び第二の出力端６ａ、６ｂはそれぞれ第一及び第二のトランジスタ３６、３９を介してレギュレータ７に接続されているため、第一及び第二のトランジスタ３６、３９が有する素子間アイソレーションを利用して、例えば、第一の出力端６ａから供給される第一または第二の電圧が第二の切替制御回路３０に入力されないようになっている。そして、第一及び第二のコントロール信号減衰手段８、９はそれぞれローパスフィルタとトランジスタとの組み合わせで構成しているので、ローパスフィルタのコンデンサ（３８、４１）の容量値が小さくても大きなリップル効果がある。
【００３１】
なお、上述の例においては、複数の出力端として第一及び第二の出力端６ａ、６ｂを備えた構成としたが、出力端を三つ以上設けても良い。また、第一及び第二のコントロール信号減衰手段８、９をローパスフィルタとトランジスタとで構成したが、コイルとコンデンサとによるＬＣローパスフィルタのみであっても同様の効果を得ることができる。
【００３２】
【発明の効果】
以上のように、本発明の第一の解決手段として、切替電圧が入力される複数の出力端とレギュレータとの間にそれぞれコントロール信号を減衰するコントロール信号減衰手段を設けた構成としたことで、例えば、第一の出力端から第一の制御回路部に供給される切替電圧に重畳されたコントロール信号が第二の出力端から入力された切替電圧に重畳されず、信号切替手段は誤動作を起こすことがないので、一つのレギュレータのみで信号選択手段を動作させることができる。よって、安価な衛星放送受信用コンバータを構成することができる。
【００３３】
また、第二の解決手段として、コントロール信号減衰手段は、カットオフ周波数がコントロール信号の周波数よりも低いローパスフィルタを備える構成としたことで、簡単な回路で信号選択手段の誤動作を防止することができる。
【００３４】
また、第三の解決手段として、コントロール信号減衰手段は、トランジスタと、抵抗及びコンデンサで構成されるローパスフィルタを有し、トランジスタのコレクタを第一又は第二の出力端に接続し、トランジスタのコレクタを抵抗を介してベースに接続するとともにコンデンサを介して接地し、トランジスタのエミッタをレギュレータに接続した構成としたことで、コントロール信号減衰手段がローパスフィルタとトランジスタとの組み合わせで構成されているので、大きなリップル効果が得られ、信号切替手段の誤動作を確実に防止することができる。
【００３５】
また、第四の解決手段として、トランジスタのコレクタと第一及び第二の出力端との間にそれぞれ逆流防止用のダイオードを設けた構成としたことで、コントロール信号減衰手段に大きな逆電圧がかかっても、トランジスタが破壊されるのを防止することができる。
【図面の簡単な説明】
【図１】本発明の衛星放送受信用コンバータの回路図である。
【図２】従来の衛星放送受信用コンバータの回路図である。
【符号の説明】
１  受信信号増幅回路部
１ａ  第一の入力端
１ｂ  第二の入力端
２  分波回路部
３  フィルタ部
４  周波数変換部
５  増幅回路部
６  信号選択手段
６ａ  第一の出力端
６ｂ  第二の出力端
７  レギュレータ
８  第一のコントロール信号減衰手段
９  第二のコントロール信号減衰手段
１０  第一の増幅器
１１  第二の増幅器
１２  第一の分波器
１３  第二の分波器
１４  第一のバンドエルミネートフィルタ
１５  第二のバンドエルミネートフィルタ
１６  第三のバンドエルミネートフィルタ
１７  第四のバンドエルミネートフィルタ
１８  第一の混合器
１９  第二の混合器
２０  第三の混合器
２１  第四の混合器
２２  第一の発振器
２３  第二の発振器
２４  第五の増幅器
２５  第六の増幅器
２６  第七の増幅器
２７  第八の増幅器
２８  信号切替回路
２９  第一の切替制御回路
３０  第二の切替制御回路
３１，３２  チョークコイル
３３  第一のダイオード
３４  第二のダイオード
３５  電源電圧出力端
３６  第一のトランジスタ
３７  第一の抵抗
３８  第一のコンデンサ
３９  第二のトランジスタ
４０  第二の抵抗
４１  第二のコンデンサ
４２，４３  ローパスフィルタ
【図１】
0003562985.tif 000002
【図２】
0003562985.tif 000003